(57)【特許請求の範囲】
【請求項１】
センターハブを有する記録ディスクと、
上記記録ディスクを収納する円弧状リブからなるディスク収納部が内面に形成された上、下ハーフと、
上記上、下ハーフを互いに突き合わせバネ収納部内に設けたボス部を利用して上、下ハーフを結合することにより、筐体状に形成されたカートリッジと、
上記上、下ハーフの前縁部側の内面に設けた案内溝に取付けられたスライド部材を介して上記カートリッジにスライド可能に取付けられていて、上記カートリッジに設けられた記録再生用開口部と上記センターハブを外部に臨ませるチャッキング開口部とを開閉するシャッターと、
上記カートリッジ内に設けたバネ収納部内に収容されていて、第１のアーム部がカートリッジの一隅部に係止され、第２のアーム部が上記シャッターに係止されて、上記シャッターを上記記録再生用開口部を閉じる方向に付勢している捩りコイルバネとを備え、
上記捩りコイルバネは、上記カートリッジの一隅部に係止された第１のアーム部の根元部に形成された第１のコイル部と、上記シャッター又はスライド部材に係止された第２のアーム部の根元部に形成された第２のコイル部と、上記第１のコイル部と上記第２のコイル部を連結する第３のアーム部と、を有し、上記第１のコイル部のバネ定数は、上記第２のコイル部のバネ定数よりも小に設定されていて、シャッター閉時に上記第１のコイル部が優先的に撓んだのちに上記第２のコイル部が撓んで上記円弧状リブと非接触状態を保ちつつ上記シャッターを閉位置に移動させるようになっているとともに、
上記ボス部は、上記シャッターの開位置における上記第１のアーム部と、上記第２のアーム部と、上記第３のアームと、により形成される領域内で、かつ上記シャッターの閉位置への移動終了後における上記第１のアーム部と、上記第２のアーム部と、上記第３のアーム部と、により形成される領域内に配置されていることを特徴とするディスクカートリッジ。
【請求項２】
請求項１において、
第１のコイル部の径は、第２のコイル部の径よりも大径に形成されているディスクカートリッジ。
【請求項３】
請求項１において、
第１のコイル部の巻数は、第２のコイル部の巻数よりも多数に形成されているディスクカートリッジ。
【発明の詳細な説明】
【０００１】
【発明の属する技術分野】
本発明は、記録ディスクを収納したカートリッジにシャッターをスライド可能に取付けて、上記カートリッジに設けた記録再生用開口部を開閉するようになっているとともに、捩りコイルバネで上記シャッターを一方向に付勢して上記開口部を閉じた状態に維持しておくようになっているディスクカートリッジに関するものである。
【０００２】
【従来の技術】
ディスクカートリッジとして図７に示したものが知られている。上記ディスクカートリッジ１０１は、光ディスクや光磁気ディスク等の記録ディスク１０２と、該記録ディスク１０２を収納しているカートリッジ１０３と、該カートリッジ１０３にスライド部材１０４を介してスライド可能に取付けられていて、該カートリッジ１０３に設けられている記録再生用開口部１０５およびチャッキング用開口部１０６を開閉するシャッター１０７と、上記カートリッジ１０３内に設けられたバネ収容部１０８内に収容されていて、上記シャッター１０７を上記記録再生用開口部１０５およびチャッキング用開口部１０６を閉じる方向に付勢している捩りコイルバネ１０９を備えている。
【０００３】
上記捩りコイルバネ１０９は、中央部のコイル部１０９ａと、該コイル部１０９ａの一端から伸びる第１のアーム部１０９ｂと、上記コイル部１０９ａの他端から伸びる第２のアーム部１０９ｃとを備えている。上記捩りコイルバネ１０９は、第１のアーム部１０９ｂの先端が上記カートリッジ１０３の一隅部に係止され、第２のアーム部１０９ｃの先端が上記シャッター１０７に直接、或は上記シャッター１０７をカートリッジ１０３にスライド可能に取付けているスライド部材１０４に係止されている。
【０００４】
上記捩りコイルバネ１０９は、上記第１のアーム部１０９ｂと第２のアーム部１０９ｃが互に接近する方向に弾性変位された状態で上記バネ収容部１０８内に収容されていて、上記弾性変位により発生する弾発力で上記シャッター１０７を一方向（閉方向）にスライドさせて、上記記録再生用開口部１０５およびチャッキング用開口部１０６を閉じるとともに、これら開口部１０５，１０６を閉じた状態にシャッター１０７を係止している。
【０００５】
上記捩りコイルバネ１０９は、シャッター１０７を開方向にスライドさせると、上記コイル部１０９ａが矢印ａ方向に移動しながら上記第１のアーム部１０９ｂと第２のアーム部１０９ｃが互に接近する方向に移動して、上記シャッター１０７を閉じるためのバネ力を蓄勢するようになっている。
【０００６】
【発明が解決しようとする課題】
ところで上記従来のディスクカートリッジ１０１は、シャッター１０７の開閉に伴って、上記捩りコイルバネ１０９が広範囲に移動し、上記捩りコイルバネ１０９の移動軌跡内には、上記カートリッジ１０３を構成する上，下ハーフ１０３ａ，１０３ｂを結合するためのビス止めボスや各種リブを突設することができないのでカートリッジ１０３としての剛性を確保するのが難しいという問題点があった。
【０００７】
上記問題点を解決するために、ラックギャとピニオンギャを使用し、上記ピニオンギャに捩りコイルバネの一端部を係止することにより、シャッターの移動量よりも上記ピニオンギャに係止した捩りコイルバネの一端部の移動量を小さくして捩りコイルバネの移動軌跡を狭くしたディスクカートリッジ２０１も開発されている。
【０００８】
図８に示したように、上記ディスクカートリッジ２０１は、シャッター（図示省略）をカートリッジ１０３にスライド可能に取付けるスライド部材１０４のカートリッジ内方側に位置する側面に第１のラックギャ２０２が設けられているとともに、下ハーフ１０３ｂの前縁側であって、記録再生用開口部１０５と一方の側壁部１０３ｃの間に上記第１のラックギャ２０２と平行に対向して第２のラックギャ２０３が設けられている。上記第１のラックギャ２０２と第２のラックギャ２０３の間にはピニオンギャ２０４が転動可能に介在されているとともに、該ピニオンギャ２０４には、上記第１のアーム部１０９ｂの先端部がカートリッジ１０３に係止されている捩りコイルバネ１０９の第２のアーム部１０９ｃの先端部が係止されている。
【０００９】
そして、上記シャッター１０７をスライドさせると、ピニオンギャ２０４が転動し、該ピニオンギャ２０４に第２のアーム部１０９ｃの先端部が係止されている捩りコイルバネ１０９は、上記第１，第２のアーム部１０９ｂ，１０９ｃが互に接近する方向に弾性変位して、バネ力を蓄勢するようになっている。
【００１０】
ところで、上記ラックギャとピニオンギャを使用したディスクカートリッジ２０１は、上述したように、第１のラックギャ２０２と上記第２のラックギャ２０３の間を上記ピニオンギャ２０４が転動することにり上記シャッター１０７がスライド開閉するので、上記ギャ２０２，２０３，２０４のいずれかひとつでも寸法精度が維持できなくなると、摺動抵抗が増加することにより円滑なシャッター１０７の開閉動作が得られなくなるといった問題があった。また、自動組立機により上記第１のラックギャ２０２と上記第２のラックギャ２０３の間に正確に位置決めしながら、上記ピニオンギャ２０４を取付けることは難しく組立作業能率が悪いという問題点があった。
【００１１】
また、上記ラックギャとピニオンギャを使用する代わりに図９に示したように、捩りコイルバネ１０９を特殊な形状に折曲げることにより、シャッター１０７をスライドさせると、上記捩りコイルバネ１０９のコイル部１０９ａがカートリッジ１０３の円形のディスク収納壁部１０３ｄの外周に沿って移動するようにして、コイルバネ収納部１０８をできるだけ小さくすることができるようにしたディスクカートリッジ３０１も開発されている。（実開平１−１６２１６９号）。
【００１２】
しかし、上記従来のディスクカートリッジ３０１は、捩りコイルバネ１０９を複雑な形状に折曲げなければならないため製造が面倒であり、また、一部の折曲角度が変わると効果も変わってしまうという問題点があるとともに、捩りコイルバネ１０９の一部１０９ｄがカートリッジ１０３の外部に突出してしまうという問題点があった。また、捩りコイルバネに複数のコイル部を設けたディスクカートリッジも開発されているが、その効果は必ずしも充分でなかった。
【００１３】
本発明は、上記従来のディスクカートリッジの問題点を解決し、上記捩りコイルバネがカートリッジ内のコーナー部分に設けられたバネ収納部内の狭い空間を、上記カートリッジ内に形成されたビス止めボスや補強リブ等に接触することなく移動できるようし、常に円滑なシャッターの開閉操作を行い確実な記録再生開口部及びチャッキング用開口部の閉塞を可能となすディスクカートリッジを提供することを目的とする。
【００１４】
【課題を解決するための手段】
本発明は、上記従来の問題点を解決するために、センターハブを有する記録ディスクと、上記記録ディスクを収納する円弧状リブからなるディスク収納部が内面に形成された上、下ハーフと、上記上、下ハーフを互いに突き合わせバネ収納部内に設けたボス部を利用して上、下ハーフを結合することにより、筐体状に形成されたカートリッジと、上記上、下ハーフの前縁部側の内面に設けた案内溝に取付けられたスライド部材を介して上記カートリッジにスライド可能に取付けられていて、上記カートリッジに設けられた記録再生用開口部と上記センターハブを外部に臨ませるチャッキング開口部とを開閉するシャッターと、上記カートリッジ内に設けたバネ収納部内に収容されていて、第１のアーム部がカートリッジの一隅部に係止され、第２のアーム部が上記シャッターに係止されて、上記シャッターを上記記録再生用開口部を閉じる方向に付勢している捩りコイルバネとを備えたディスクカートリッジにおいて、
上記捩りコイルバネを、上記カートリッジの一隅部に係止された第１のアーム部の根元部に形成された第１のコイル部と、上記シャッター又はスライド部材に係止された第２のアーム部の根元部に形成された第２のコイル部と、上記第１のコイル部と上記第２のコイル部を連結する第３のアーム部と、で構成し、上記第１のコイル部のバネ定数を、上記第２のコイル部のバネ定数よりも小に設定し、シャッター閉時に上記第１のコイル部が優先的に撓んだのちに上記第２のコイル部が撓んで上記円弧状リブと非接触状態を保ちつつ上記シャッターを閉位置に移動させるようにするとともに、
上記ボス部を、上記シャッターの開位置における上記第１のアーム部と、上記第２のアーム部と、上記第３のアームと、により形成される領域内で、かつ上記シャッターの閉位置への移動終了後における上記第１のアーム部と、上記第２のアーム部と、上記第３のアーム部と、により形成される領域内に配置することにより、
上記シャッターを、上記カートリッジに設けた記録再生用開口部を開放する方向にスライドさせた場合でも、上記捩りコイルバネが上記バネ収納部内に設けたボス部に接触することなく、シャッターを円滑に開閉できるようにした。
【００１５】
【発明の実施の形態】
次に本発明を図１〜図６を参照して説明する。図１は、ディスクカートリッジ１の分解斜視図である。上記ディスクカートリッジ１は、記録ディスク２と、上記記録ディスク２を収納したカートリッジ３と、上記カートリッジ３にスライド部材４を介してスライド可能に取付けられていて、該カートリッジに設けられた記録再生用開口部５およびチャッキング用開口部６を開閉するシャッター７と、上記カートリッジ３内に設けたバネ収納部８内に収容されていて、第１のアーム部９ａがバネ収納部内に設けたバネ係止部１１に係止され、第２のアーム部９ｂが上記スライド部材４に設けたバネ係止部１２に係止されていて、上記シャッター７を上記記録再生用開口部を閉じる方向に付勢している捩りコイルバネ９とを備えている。
【００１６】
図２〜図３に示したように、上記捩りコイルバネ９は、第１のアーム部９ａの根元部に形成された第１のコイル部９ｃと、第２のアーム部９ｂの根元部に形成された第２のコイル部９ｄと、これら第１，第２のコイル部９ｃ，９ｄを連結する第３のアーム部９ｅと、上記第１，第２のアーム部９ａ，９ｂの先端部に設けられた鉤状の折曲部９ｆ，９ｇを有している。
【００１７】
上記第１のコイル部９ｃと第２のコイル部９ｄは、同方向に巻かれているとともに、第１のコイル部９ｃは、第２のコイル部９ｄよりも巻数を多くし、かつ大径に形成することにより、該第２のコイル部９ｄのバネ定数よりも小に設定されていて、撓みやすくなっている。そして、図４〜図６に示したように、上記捩りコイルバネ９は、上記第１のアーム部９ａの先端部に設けた鉤状の折曲部９ｆを上記カートリッジ３のバネ収納部８に設けたバネ係止部１１に係止し、第２のアーム部９ｂの先端部に設けた鉤状の折曲部９ｇをスライド部材４に設けた係止部１２に回動可能に係止した状態で上記バネ収納部８内に取付けられていて、上記シャッター７を上記記録再生用開口部５およびチャッキング用開口部６を閉じる方向に付勢している。
【００１８】
次に、他の構成部分について図１を参照して具体的に説明する。上記記録ディスク２は、円盤状のディスク基板２ａと、該ディスク基板２ａの中央部に取付けられた被チャッキング部としてのセンターハブ２ｂを有していて、上記ディスク基板２ｂの主面部が信号記録部２ｃになっている。
【００１９】
上記カートリッジ３は、上，下ハーフ（シェル）３ａ，３ｂを互に突き合わせて、ビス１３…１３で結合することにより、薄い筺体状に形成されている。そして、上記上，下ハーフ３ａ，３ｂには、上記記録ディスク２の信号記録部２ｃを外部に臨ませる記録再生用開口部５と、上記センターハブ２ｂを外部に臨ませるチャッキング用開口部６が設けられている。
【００２０】
上記上，下ハーフ３ａ，３ｂの内面には、上記記録ディスク２を収納する円形状のディスク収納部２１を構成する第１〜第４の円弧状のリブ２２ａ…２２ｄが形成されているとともに、前縁部側の内面には上記スライド部材４のスライドをガイドする案内溝２３が形成されている。そして、上記案内溝２３に、上記スライド部材４を挿入して、上，下のハーフ３ａ，３ｂを重ね合わせて結合することにより、上記シャッター７はスライド可能に上記カートリッジ３にスライド可能に取付けられるようになっている。また、上記ディスク収納部２１を構成する第１のリブ２２ａと、下ハーフ３ｂの一側部の周壁部２４と、上記案内溝２３とで囲まれた前面側の一方のコーナー部分に上記バネ収納部８が形成されている。上記バネ収納部８内の上記案内溝２３と下ハーフ３ｂの周壁部２４との交差する部分には上記バネ係止部１１が設けられているとともに、その近傍にはビス止め用のボス部２５が設けられている。
【００２１】
上記シャッター７は、金属薄板を折曲げる等の方法により、上記カートリッジ３の前縁側部分の上，下両主面部を挾持するコ字状部材として形成されている。つまり、上記シャッター７は、上記カートリッジ３の上側つまり、上ハーフ３ａの主面部に重ね合わされる上側シャッター板部７ａと、該上側シャッター板部７ａに平行に相対向されていて、下側の主面部つまり下ハーフ３ｂの主面部に重ね合わされる下側シャッター板部７ｂと、これら上，下側シャッター板部７ａ，７ｂの基端側同士を連結させる連結板部７ｃとを有している。上記上，下側シャッター板部７ａ，７ｂと連結板部７ｃは、一体に構成されている。
【００２２】
上記シャッター７は、上述したようにスライド部材４によって、上記連結板部７ｃをカートリッジ３の前端面部に沿わせ、かつ上，下側シャッター板部７ａ，７ｂをカートリッジ３の上，下主面部に沿わせてスライド可能にカートリッジ３に取付けられていて、上記捩りコイルバネ９で一方向に付勢されて、上記上，下側シャッター板部７ａ，７ｂが上記カートリッジ３の上，下ハーフ３ａ，３ｂに設けた記録再生用開口部５とチャッキング用開口部６に重なり合って、これら開口部５，６を閉塞しているとともに、上記捩りコイルバネ９のバネ力に抗してシャッター７をスライドさせると、上記開口部５，６と非重合状態になって、これら開口部５，６を開放するようになっている。
【００２３】
実施例のディスクカートリッジ１の作用について説明する。ディスクカートリッジ１を図示省略の記録再生装置に挿入すると、該装置に設けられたシャッター開放部材によってシャッター７が上記開口部５，６を開放する方向にスライドする。このとき、上記捩りコイルバネ９は、第１のアーム部９ａと第２のアーム部９ｂが互に接近する方向に弾性変位するのであるが、上述したように、捩りコイルバネ９の第１のコイル部９ｃは、第２のコイル部９ｄよりもバネ定数が小さいために、上記第１のコイル部９ｃの方が第２のコイル部９ｄよりも初期の変位量が大きく、図５に示したように、上記第１のコイル部９ｃが優先的に撓んだのち、図６に示したように、第２のコイル部９ｄが撓んで、シャッター７が開閉する過程において、捩りコイルバネ９が第１の円弧状のリブ２２ａやビス止め用のボス部２５に接触するのを防ぐのである。
【００２４】
なお、上記実施の形態においては、捩りコイルバネ９の第１のコイル部９ｃの巻数を第２のコイル部９ｄの巻数よりも多くするとともに大径にすることにより、第１のコイル部９ｃのバネ定数を第２のコイル部９ｄよりも小さくした場合を示したが、ビス止め用のボス部２５の位置や形状或は各種リブの位置や形状等に応じて、第１のコイル部９ｃの巻径よりも第２のコイル部９ｄの巻径を小さくすることにより、結果的に第１のコイル部９ｃのバネ定数が第２のコイル部９ｄのバネ定数よりも大になるようにしてもよい。また、第１のコイル部９ｃよりも第２のコイル部９ｄの巻数を多くし、又は巻径を小さくすることにより、第１のコイル部９ｃよりも第２のコイル部９ｄのバネ定数を大きくしてもよい。また、捩りコイルバネ９の第１，第２のアーム部９ａ，９ｂの先端部のフック状の折曲部９ｆ，９ｇの形状および下ハーフ３ｂに設けたバネ係止部１１の形状やスライド部材４のバネ係止部１２も適宜設計変更することができる。また、実施の形態では、捩りコイルバネ９の第２のアーム部９ｂの先端部のフック状の折曲部９ｇをスライド部材４に係止する構成にしたが、シャッター７に直接、係止してもよい。
【００２５】
【発明の効果】
本発明のディスクカートリッジには次に述べるような効果がある。
【００２６】
（１）請求項１のディスクカートリッジは、シャッターを開方向にスライドさせると、先ずカートリッジに係止した捩りコイルバネの一方のアーム部の根元部に設けた第１のコイル部が優先的に撓んで、次にシャッターに係止した他方のアーム部の根元部に設けた第２のコイル部が撓むことにより、捩りコイルバネの移動軌跡を狭くすることができる。また、ボス部を、上記シャッターの開位置における上記第１のアーム部と、上記第２のアーム部と、上記第３のアームと、により形成される領域内で、かつ上記シャッターの閉位置への移動終了後における上記第１のアーム部と、上記第２のアーム部と、上記第３のアーム部と、により形成される領域内に配置したので、捩りコイルバネが上記ボス部に接触するのを防止できるので、ディスクカートリッジを設計する際の自由度が高くなり、ディスクカートリッジの平面度や剛性を良好に保つことができる。
【００２７】
（２）請求項２および請求項３のディスクカートリッジは、第１のコイル部の巻数を第２のコイル部の巻数よりも多くし、或は、巻数は同じでも第１のコイル部の巻径を第２のコイル部の巻径よりも大きくするという簡単な方法で第１のコイル部のバネ定数を第２のコイル部のバネ定数よりも小さく設定することができる。
【図面の簡単な説明】
【図１】ディスクカートリッジの分解斜視図。
【図２】捩りコイルバネの平面図。
【図３】捩りコイルバネの側面図。
【図４】要部の平面図。
【図５】第１のコイル部が撓んだ状態の平面図。
【図６】第２のコイル部が撓んだ状態の平面図。
【図７】従来例の斜視図。
【図８】他の従来例の斜視図。
【図９】他の従来例の要部の平面図。
【符号の説明】
１…ディスクカートリッジ、２…記録ディスク、３…カートリッジ、４…スライド部材、５…記録再生用開口部、６…チャッキング用開口部、７…シャッター、８…バネ収納部、９…捩りコイルバネ、９ａ…第１のアーム部、９ｂ…第２のアーム部、９ｃ…第１のコイル部、９ｄ…第２のコイル部、９ｅ…第３のアーム部。
【図１】
0003564851.tif 000002
【図２】
0003564851.tif 000003
【図３】
0003564851.tif 000004
【図４】
0003564851.tif 000005
【図５】
0003564851.tif 000006
【図６】
0003564851.tif 000007
【図７】
0003564851.tif 000008
【図８】
0003564851.tif 000009
【図９】
0003564851.tif 000010